(57)【要約】      （修正有）【課題】会食時にも快適に使用できるフェイスシールドを提供する。【解決手段】人へ、又、人からの飛沫を防止するシールドフィルム１と、頭部に装着する装着部２と、上記シールドフィルムと上記装着部を連結し、上記シールドフィルムを前後に動かし、上記シールドフィルムと顔の間に所望の距離を設ける為の連結部３と、上記装着部の左右こめかみ部近傍に設けられ、上記連結部を支え、スライドさせる為の調整部６−ａを備えることを特徴とするフェイスシールドである。【選択図】図１
0003232628.tif 000002
【実用新案登録請求の範囲】
【請求項１】
人へ、又、人からの飛沫を防止するシールドフィルムと、
頭部に装着する装着部と、
上記シールドフィルムと上記装着部を連結し、上記シールドフィルムを前後に可動させ、上記シールドフィルムと顔の間に所望の距離を設ける為の連結部と、
上記装着部の左右こめかみ部近傍に設けられ、上記連結部を支え、スライドさせる為の調整部を備えることを特徴とするフェイスシールド。
【請求項２】
平面視で、左右のアームとフロントアームからなるコの字型の連結部のフロントアームの左右両側に上記シールドフィルム上端を接着する一対の第１取り付け部と、上記シールドフィルムの顔巾より左右外側にある面の不安定さを防止する為の上記シールドフィルムの面の上縁部に沿って設ける一対の支持部と、上記一対の支持部の左右両端に、上記シールドフィルムの左右両端近傍を接着する為の一対の第２取り付け部を備えることを特徴とする請求項１に記載のフェイスシールド。
【請求項３】
上記一対の第２取り付け部近傍と左右のアーム側にある上記一対の調節部の近傍に、互いを接着する為の接着部を備えることを特徴とする請求項２記載のフェイスシールド。
【請求項４】
上記シールドフィルムの縦の長さは、状況に応じて調整でき、その長さを維持する為の脱着可能な接着部を備えることを特徴とする請求項３記載のフェイスシールド。
【請求項５】
上記コの字型態様の左右のアームは、長さの軸方向に沿って長さを可変し、維持する為の装備を持つことを特徴とする請求項４記載のフェイスシールド。
【考案の詳細な説明】
【技術分野】
【０００１】  本考案は、会食時にも使用できるフェイスシールドに関する。
【背景技術】
【０００２】  食事時に使用できるフェイスシールドが用いられている。
【先行技術文献】
【特許文献】
【０００３】
【特許文献１】実用新案登録第３２２７９８３号公報
【特許文献２】実用新案登録第３３２８９４３号公報
【考案の概要】
【考案が解決しようとする課題】
【０００４】  特許文献１には、食事や歌う時にシールドの下部を上方へ折りたたみ鼻口部分を開放することができるフェイスシールドが記載されている。特許文献２には、食べ物や飲み物を下から運ぶ事が出来る食事様、応援様マスクが記載されている。【０００５】  特許文献１は、会話時には上方に上げたシールドを毎回おろさなくてはならず、会食をスムーズに進めにくい。特許文献２は、本格的な食事には向かない。【０００６】  本考案は、この様な事情に基づいてなされたものであり、通常時だけでなく会食時にも利便性に優れるフェイスシールドを提供することを目的とする。
【課題を解決するための手段】
【０００７】請求項１記載のフェイスシールドは、飛沫を防止するシールドフィルムと、頭部に装着する装着部と、上記シールドフィルムと上記装着部を連結し、上記シールドフィルムを前後に可動し、上記シールドフィルムと顔の間に所望の距離を設ける為の連結部と、上記装着部の左右こめかみ部近傍に設けられ、上記連結部を支え、スライドさせる為の調整部を備えることを特徴とする。その為、会食時には、連結部の前方を顔面より前に所望の位置まで移動させ、維持することで、シールドフィルムと顔面との空間が広がり、食事と会話を同時に行うことを可能にする。通常時は、連結部の前方を顔面近くの所望の位置まで移動させ、維持することを可能とする。【０００８】  請求項２記載のフェイスシールドは、請求項１記載のフェイスシールドにおいて、平面視で、左右のアームとフロントアームからなるコの字型態様の連結部のフロントアームの左右両側に上記シールドフィルム上端を接着する一対の第１取り付け部と、上記シールドフィルムの顔巾より左右外側にある面の不安定さを防止する為の上記シールドフィルムの上縁部に沿った一対の支持部と、上記一対の支持部の左右両端に、上記シールドフィルムの左右両端近傍を接着する為の一対の第２取り付け部を備えることを特徴とする。その為、上記シールドフィルムの顔巾より左右外側の面は、一対の支持部を動かすことで撓み方を調整することができる。【０００９】  請求項３記載のフェイスシールドは、請求項２記載のフェイスシールドにおいて、上記一対の第２取り付け部近傍と左右のアーム側の上記一対の調節部の近傍に互いを接着する為の接着部を備える。その為、上記第２取り付け部近傍に設けた一対の接着部を、上記一対の調節部近傍の接着部に接着させることで、シールドフィルムの顔巾より左右外側にあった面が大きく撓み固定され、顔を囲むことができる。【００１０】  請求項４記載のフェイスシールドは、請求項３のフェイスシールドにおいて、上記シールドフィルムの縦の長さは、状況に応じて調整でき、その長さを維持する為の脱着可能な接着部を備える。その為、飛沫を防止し、且つ、会食時の机の高さや通常時の動作等において、邪魔にならない程度の所望の丈にすることができる。【００１１】  請求項５記載のフェイスシールドは、請求項４のフェイスシールドにおいて、上記コの字型態様の左右のアームは、長さの軸方向に沿って長さを可変し、維持する為の装備を持つ。その為、携帯時や通常時、会食時に取り扱いやすくなる。
【考案の効果】
【００１２】  本考案の一態様に係るフェイスシールドは会話と食事の度毎にシールドを動かすという動作をしなくてもよいので利便性に優れている。
【図面の簡単な説明】
【００１３】
【図１】図１は、本考案の一実態形態に係るフェイスシールドを会食時に装着した状態を示した模式図である。
【図２】図２は、図１の模式的上面図である。
【図３】図３は、図１の模式的側面図である。
【図４】図４は、図１の模式的正面図である。
【図５】図５は、本考案の一実態形態に係るフェイスシールドを通常時に装着した状態を示した模式図である。
【図６】図６は、図５の模式的上面図である。
【図７】図７は、図５の模式的側面図である。
【図８】図８は、図５の模式的正面図である。
【図９】図９は、図１のこめかみ部分を拡大した模式図である。
【図１０】図１０は、図５のこめかみ部分を拡大した模式図である。
【図１１】図１１は、上記コの字型態様の顔側角の模式的拡大図である。
【図１２】図１２は、上記シールドフィルムの模式的正面図である。
【図１３】図１３は、上記シールドフィルムの縦の長さを短くした時の模式的拡大図である。
【図１４】図１４は、上記一対の左右のアーム部が伸縮する機能を示す模式的拡大図である。
【本考案を実施するための形態】
【００１４】  最初に本考案の実施態様について適宜図面を参照しつつ、列記して説明する。本考案の一態様に係るフェイスシールドは、図２の様に、上記コの字型態様の連結部３のフロントアームの左右両側の外側に固着する一対の上記第１取り付け部４−ａ、４−ｂと、上記コの字型態様の連結部３の左右のアームの顔側の両角外側から伸びる一対の支持部５−ａ、５−ｂと、その両端近傍に固着する一対の上記第２取り付け部４−ｃ、４−ｄを備える。上記シールドフィルム１の上端部にある上記第１、２取り付け部に対応する４個の対応部（図１２の１１−ａ〜ｄ）を、上記第１，２取り付け部にそれぞれ対向して接着して吊着し、脱着可能である。又、脱着不可能でもよい。上記第１，２取り付け部と上記対応部は、例えば、突起部とそれに対応する差し込み部や、フックとそれに対応する穴、磁石、クリップ、マジックテープ、接着テープ等である。又、例えば、上記一対の支持部５−ａ、５−ｂは、上記シールドフィルム１側に付着していてもよいし、上記シールドフィルム１の顔巾より左右外側にある面が安定している場合は、上記一対の支持部は無くてもよい。これらの場合は、１対の上記第２取り付け部は必要ないが、図６の様に、通常時に上記調節部６−ａ、６−ｂ近傍に接着させる為の接着部（図１１の９−ａ、（ｂ））は必要である。
【００１５】  上記シールドフィルム１は、顔面との距離が快適に食事できる程度に離れていても飛沫防止できる大きさであり、無色透明で、食器等が当たっても反発しない程度の薄さや性質を備える。意図しない撓みや裂け、破れが生じる場合は、図１２の様に、長方形の４辺をそれぞれ２、３重にして熱を加える。又、４辺をそれぞれの辺縁から丸め固定して強度をつける、見合ったテープで４辺をそれぞれ囲む等で解決できる。
【００１６】  上記コの字型態様の連結部３は、少々の衝撃では折れたり，歪んだりしない程度の強度があり、且つ、頭部に重みを感じない程度の軽さを有する材質で、各アームは、円柱や角柱等の態様である。条件を満たすなら中が空洞でもよい。又、コの字型態様３の形態は、例えば、Ｕの字型態様であってもよい。
【００１７】  図１や図５の様に、上記装着部２は、カチューシャ態様や、又、後頭部に円周の大きさを調節にする機能が付いた円型のバンド態様、側部がメガネのツル態様等がある。上記装着部２は、内側に滑り止めを設けてもよい。又、無色や有色、柄があってもよい。
【００１８】  図２や図１０の様に、上記装着部２の左右のこめかみ部に設けた一対の調節部（６−ａ、ｂ）は、上記コの字型態様の連結部３を支え、又、上記コの字型態様の連結部３の左右のアームを前後にスライドする為の機能を備え、所望する位置で維持する為の一対のネジ（７−ａ、ｂ）を備える。ネジの代わりに例えば、プッシュ式ボタンやクリップ、磁石、マジックテープ、粘着テープ等でもよい。又、例えば、上記コの字型態様の連結部３の左右のアームが、波型や凹凸型で、それらの形状に対応して、前後に可動し、停止を維持する機能を備えた調節部、又、調整部に凹凸があり、上記左右のアームがそれに対応する機能を備え、前後に稼働し、停止を維持する等でもよい。
【００１９】  図６の様に、上記一対の第２取り付け部（４−ｃ、ｄ）の近傍が上記一対の調節部（６−ａ、ｂ）の近傍で脱着する為に、上記第２取り付け部の近傍にある一対の接着部（図１１の９−ａ、（ｂ））と、上記調節部の近傍にそれに対応する一対の部品を備える。上記それぞれの接着部品は、例えば、磁石やマジックテープ、凹凸の差し込み、フック、粘着テープ、クリップ等である。
【００２０】  図２や図１０の様に、上記コの字型態様の連結部３の左右のアームの開放側の端にある面、又は、塊（８−ａ、ｂ）は、上記コの字型態様の連結部３が上記装着部２から離脱しない為にあるが、必要がなければ無くてよい。
【００２１】  図１や図２の様に、会食時に上記コの字型態様の連結部３のフロントアームを顔面より前に所望の位置まで移動させ、維持することで、上記シールドフィルム１と顔面との空間が広がり、食事と会話を同時に行うことを可能にする。又、上記シールドフィルム１の顔巾より左右外側の面は、上記一対の支持部（５−ａ、ｂ）を動かすことで撓み方を調整する。
【００２２】  通常時は、図５や６の様に、上記コの字型態様の連結部３のフロントアームを顔面近くの所望の位置まで移動させ、維持する。又、図６の様に、上記一対の第２取り付け部（４−ａ、ｂ）の近傍にある接着部（図１１の９−ａ、（ｂ））を、上記一対の調節部（６−ａ、ｂ）の近傍にそれぞれ接着させることで、上記シールドフィルム１の顔巾より左右外側あった面が大きく撓み固定され、顔を囲むことができる。
【００２３】  図１２の様に、上記シールドフィルム１に、長さ６ｃｍ前後程のテープの半分程に固着する接着部分を、残りの長さには脱着可能な接着部分と指でつまめる程度の無接着部分を設け、接着度の違う境目で接着部を内側にして折り目を付け、上記シールドフィルム１をその間に挟み込み、下辺と上記境目が重ねられ、上記半分程の長さのテープがそれぞれの対向する面に貼られている。上記貼られたテープは、上記シールドフィルム１の下辺左右両端近傍と必要であればその間に１，２ヶ所設ける（１０−ａ〜ｄ）。上記シールドフィルム１を所望の丈で維持する為に、上記脱着可能な側のテープをそれぞれ剥がし、下辺から折り畳んで２重になった上記シールドフィルム１の面のすぐ上の１重の面にそれぞれ貼り付けることで丈を維持し安定させる（図１３）。上記粘着テープは、例えば、上記シールドフィルムの縦側の左右の下部にそれぞれ設け、上記シールドフィルムを下部から丸めて所望の位置で、上記脱着可能な方のテープをそれぞれ貼り付け、丈を維持してもよい。上記粘着テープの代わりに、例えば、切り込み部とそれと対になる挿入部や、マジックテープ、磁石、クリップ、フック等でもよい。又、通常時の上記シールドフィルムの丈に、会食時に必要な丈を繋ぎ合わせて脱着出来る機能を設けてもよい。その場合は、繋ぎ合わせる部分だけを食器等が当たっても反発しない程度の薄さや性質である素材にしてもよい。
【００２４】  図７の様に、上記コの字型態様の連結部３の左右のアーム上の一対の部品（１２−ａ、（ｂ））は、上記フェイスシールド全体の態様に適した箇所にあり、左右のアームを折り畳む機能を持ち、又、折り畳んだ左右のアームを受け止め固定する一対の部品（１３−ａ、（ｂ））を設ける事で、上記コの字型態様の連結部３の左右のアームが短くなり、通常時や携帯時に取り扱い易くなる。
【００２５】  図１４の様に、上記連結部３の伸縮機能のある左右のアームは、太さの違う２本の棒状態様の細い方が太い方の棒状パイプに挿入されていて、揺動なく（１６−ａ、（ｂ）と１７−ａ、（ｂ））スムーズに伸縮し、外れない機能（１８−ａ、（ｂ））をそれぞれ備える。所望の長さを維持する為に、外側の上記棒状パイプに間隔を開けて、３ｍｍ前後程の穴（１４−ａ、（ｂ））を設け、又、上記細い方の棒状態様の挿入側の端近傍に上記穴に対応するプッシュ式突起部（１５−ａ、（ｂ））をそれぞれ設ける。上記プッシュ式突起部を押して、又は、押さなくても長短させる力を加えるとスムーズに伸縮し、上記プッシュ式突起部は、上記穴に重なると突起して停止し、維持する。上記伸縮機能は、３段式等でもよい。又、代わりに、例えば、ネジ式、ばね式等でもよい。又、伸縮機能は、顔側にあってもよく、この場合は、上記左右のアームの開放側近傍が上記一対の調整部６にそれぞれ固着していてもよい。
【００２６】  本考案のフェイスシールドは、会食時のみに特化した仕様でもよい。
【産業上の利用可能性】
【００２７】  顔面とシールドフィルムの間隔が所望の位置に可動し、維持することで、作業がやり易くなる業種に利用される。
【符号の説明】
【００２９】１  シールドフィルム
２  カチューシャ態様の装着部
３  コの字型態様の連結部
４−ａ、ｂ  一対の第１取り付け部
４−ｃ、ｄ  一対の第２取り付け部
５−ａ、ｂ  顔巾より左右外側にあるシールドフィルムの面を支える一対の支持部
６−ａ、ｂ  連結部３を支え安定させ、前後にスライドさせる為の一対の調節部
７−ａ、ｂ  連結部３を所望の位置で維持する為の一対のネジ部
８−ａ、ｂ  連結部３が装着部２から外れないようにする一対の留め部
９−ａ、ｂ  支持部の両端にある第２取り付け部の近傍にある一対の接着部
１０−ａ〜ｄ  短くしたシールドフィルムの丈を維持する為の部品
１１−ａ〜ｄ  第１、２取り付け部４−ａ〜ｄに対向して接着する対応部。
１２−ａ、ｂ  連結部３の左右のアームを折り曲げる為の一対の部品。
１３−ａ、ｂ  連結部３の左右のアームの折り曲げを維持し受け止める為の一対の部品。
１４−ａ、ｂ  連結部３の左右のアームの伸縮を停止し維持する為の一対の部分。
１５−ａ、ｂ  連結部３の左右のアームの伸縮を停止し維持する為の一対の部品。
１６−ａ、ｂ  連結部３の左右のアームの伸縮を揺動なく行う為の一対の爪。
１７−ａ、ｂ  連結部３の左右のアームの伸縮を揺動なく行う為の一対の溝。
１８−ａ、ｂ  連結部３の左右のアームの太い方と細い方の棒状態様が外れないようにする為の部分。
【図１】
0003232628.tif 000003
【図２】
0003232628.tif 000004
【図３】
0003232628.tif 000005
【図４】
0003232628.tif 000006
【図５】
0003232628.tif 000007
【図６】
0003232628.tif 000008
【図７】
0003232628.tif 000009
【図８】
0003232628.tif 000010
【図９】
0003232628.tif 000011
【図１０】
0003232628.tif 000012
【図１１】
0003232628.tif 000013
【図１２】
0003232628.tif 000014
【図１３】
0003232628.tif 000015
【図１４】
0003232628.tif 000016
【手続補正書】
【提出日】令和3年3月5日(2021.3.5)
【手続補正１】
【補正対象書類名】実用新案登録請求の範囲
【補正対象項目名】全文
【補正方法】変更
【補正の内容】
【実用新案登録請求の範囲】
【請求項１】
人へ、又、人からの飛沫を防止するシールドフィルムと、
頭部に装着する装着部と、
上記シールドフィルムと上記装着部を連結し、上記シールドフィルムを前後に可働させ、上記シールドフィルムと顔の間に所望の距離を設ける為の連結部と、
上記装着部の左右こめかみ部近傍に設けられ、上記連結部を支え、スライドさせる為の調整部を備えることを特徴とするフェイスシールド。
【請求項２】
平面視で、左右のアームとフロントアームからなるコの字型の連結部のフロントアームの左右両側に上記シールドフィルム上端を接着する一対の第１取り付け部と、上記シールドフィルムの顔巾より左右外側にある面の不安定さを防止する為の上記シールドフィルムの面の上縁部に沿って設ける一対の支持部と、上記一対の支持部の左右両端に、上記シールドフィルムの左右両端近傍を接着する為の一対の第２取り付け部を備えることを特徴とする請求項１に記載のフェイスシールド。
【請求項３】
上記一対の第２取り付け部近傍と左右のアーム側にある上記一対の調節部の近傍に、互いを接着する為の接着部を備えることを特徴とする請求項２記載のフェイスシールド。
【請求項４】
上記シールドフィルムの上下方向の縦の長さを変更可能にし、折り畳み可能に構成し、当該折り畳んだシールドフィルムの端部を接着させる接着部を設けたことを特徴とする請求項３記載のフェイスシールド。
【請求項５】
上記コの字型態様の左右のアームは、折り畳む機能によって、又は、太さの違う２本の棒状態様の細い方が太い方の棒状パイプに挿入されていることによって、軸方向に沿って長さを変更可能にすることを特徴とする請求項４記載のフェイスシールド。